(57)【要約】【課題】  製造時や保管時あるいは輸送時に割れや欠けが生じにくい多層固形洗浄剤及び多層固形洗浄剤の製造方法を提供する。【解決手段】  成分の異なる第１層１２と第２層１３を接合した固形状に形成する。両層１２，１３を区画する境界線１４を、曲線のみからなる波状に形成し、この境界線１４の端部と洗浄剤本体１１の外周縁１５との交差角１６を、ほぼ直角とする。これにより、前記境界線１４は、前記外周縁１５に略直行する。【選択図】        図１
2006169270.tif 000002
【特許請求の範囲】
【請求項１】
異なる成分で構成された複数の層を接合して形成した固形体からなる多層固形洗浄剤において、
前記各層間の境界線を曲線のみで構成したことを特徴とする多層固形洗浄剤。
【請求項２】
前記各層の少なくとも一部が当該固形体の外周を構成することを特徴とした請求項１記載の多層固形洗浄剤。
【請求項３】
前記境界線を、１つ又は複数の変曲点を有する曲線のみで構成したことを特徴とする請求項１又は２記載の多層固形洗浄剤。
【請求項４】
前記境界線と前記固形体の外周縁とを略直行させたことを特徴とする請求項１、２又は３記載の多層固形洗浄剤。
【請求項５】
複数のタンクに収容された異なる基材をスクリューの回転により加圧して単一のノズル部から押し出す際に、前記各基材を前記ノズル部で接合して固形体を成型する多層固形洗浄剤の製造方法であって、
前記ノズル部に連通した前記各タンクの出口部において各タンクを区画した境界壁を曲線のみで構成したことを特徴とする多層固形洗浄剤の製造方法。
【発明の詳細な説明】
【技術分野】
【０００１】
本発明は、水洗トイレの洗浄水に洗浄効果や芳香効果や漂白を付与する多層固形洗浄剤に関し、詳しくは、複数の層を有する多層固形洗浄剤及び多層固形洗浄剤の製造方法に関する。
【背景技術】
【０００２】
従来より、水洗トイレの洗浄水に洗浄効果及び芳香効果を付与する固形漂白芳香洗浄剤が提案されており、貯水タンク内の水中に浸漬して用いる形式のものと、貯水タンクの手洗い部に載置して用いる形式のものが提案されている。また、同成分若しくは異なる成分を複数の層にした固形漂白芳香洗浄剤も提案されている。このような多層固形洗浄剤において、洗浄水に漂白効果を付与するためには、色素を有する層と分離する必要があった。
【０００３】
例えば、各種有効成分ごとに製剤化され接合一体化された複数の固形薬剤層からなり、前記固形薬剤層のうち少なくとも一つが、芳香乃至消臭性を有し又は有しない固形洗浄剤層であり、固形薬剤層のうちの他の少なくとも一つが、固形芳香乃至消臭剤層であることを特徴とする芳香消臭洗浄剤が知られている（例えば、特許文献１）。
【０００４】
また、洗浄成分及び色素が配合される着色層と、洗浄成分が配合され前記着色層に結合される非着色層とを有する投入式固形洗浄剤が知られている（例えば、特許文献２）。
【０００５】
さらに、殺菌剤を含む層と、香料及び色素を含む層とからなる二層タブレットが知られている（例えば、特許文献３）
【特許文献１】実開昭６１−６４１４７号公報
【特許文献２】特開平１０−１４０１９８号公報
【特許文献３】ＵＳＰ４５７８２０７号公報
【発明の開示】
【発明が解決しようとする課題】
【０００６】
しかしながら、このような従来の多層式固形漂白芳香洗浄剤は、各層が直線的に接合されている為、製造時や保管時あるいは輸送時において各層の境界線に小さなひびが形成されるとともに、隣接したひび同士が結合して、最終的には割れや欠けを生じてしまうといった問題点を有していた。
【０００７】
特に、前述した特許文献３においては、結合部分に角部が形成されている為、その結合部分に空隙が生じ易く、空隙部分から割れてしまうことがあった。
【０００８】
本発明は、このような従来の課題に鑑みてなされたものであり、製造時や保管時あるいは輸送時に割れや欠けが生じにくい多層式固形漂白芳香洗浄剤及び多層固形洗浄剤の製造方法を提供することを目的とするものである。
【課題を解決するための手段】
【０００９】
前記課題を解決するために本発明の請求項１の多層固形洗浄剤にあっては、異なる成分で構成された複数の層を接合して形成した固形体からなる多層固形洗浄剤において、前記各層間の境界線を曲線のみで構成した。
【００１０】
すなわち、固形体を形成する各層間の境界線が曲線のみで構成されている為、この境界線上に小さなひびが形成された場合であっても、隣接したひび同士が結合して、大きくなることがなく、割れや欠けが防止される。
【００１１】
加えて、各層の結合部分に空隙が形成され易い角部が設けられた従来のように、空隙部分から割れるといった問題も防止することができる。
【００１２】
なお、本明細書において、異なる成分とは、各成分の種類、配合量の内のどちらか一方が少なくとも異なることを言う。
【００１３】
好ましくは、請求項２の多層固形洗浄剤のように、前記各層の少なくとも一部が当該固形体の外周を構成する。
【００１４】
また、請求項３の多層固形洗浄剤においては、前記境界線を、１つ又は複数の変曲点を有する曲線のみで構成した。
【００１５】
これにより、割れ及び欠けの発生防止効果が高められる。
【００１６】
さらに、請求項４の多層固形洗浄剤においては、前記境界線と前記固形体の外周縁とを略直行させた。
【００１７】
すなわち、各層間の境界線は外周縁と略直角に直行するため、周辺付近からの割れや欠けが生じにくくすることができる。
【００１８】
そして、本発明の多層固形洗浄剤の製造方法においては、複数のタンクに収容された異なる基材をスクリューの回転により加圧して単一のノズル部から押し出す際に、前記各基材を前記ノズル部で接合して固形体を成型する多層固形洗浄剤の製造方法であって、前記ノズル部に連通した前記各タンクの出口部において各タンクを区画した境界壁を曲線のみで構成した。
【００１９】
これにより、異なる基材で構成された複数の層を接合して形成された固形体からなる多層固形洗浄剤を形成した際に、前記各層間の境界線を曲線のみで構成することができる。
【００２０】
このため、請求項１と同様に、各層間の境界線上に小さなひびが形成された場合であっても、隣接したひび同士が結合して、大きくなることがなく、割れや欠けが防止される。
【００２１】
また、各層の結合部分に空隙が形成され易い角部が設けられた従来のように、空隙部分から割れるといった問題も防止することができる。
【発明の効果】
【００２２】
以上説明したように本発明の請求項１の多層固形洗浄剤及び請求項５の多層固形洗浄剤の製造方法で製造された多層固形洗浄剤にあっては、固形体を形成する各層間の境界線が曲線のみで構成されている為、この境界線上に小さなひびが形成された場合であっても、隣接したひび同士が結合して、大きくなることが無い。
【００２３】
したがって、製造時や保管時あるいは輸送時での割れや欠けを防止することができ、商品として致命的な不良品の発生を防止することができる。
【００２４】
特に、請求項２の多層固形洗浄剤のように、前記各層の少なくとも一部が当該固形体の外周を構成する場合には、特有の効果を発揮する。
【００２５】
また、請求項３の多層固形洗浄剤においては、前記境界線を、１つ又は複数の変曲点を有する曲線のみで構成したので、割れ及び欠けの発生防止効果をさらに高めることができる。
【００２６】
さらに、請求項４の多層固形洗浄剤においては、各層間の境界線が外周縁と略直角に直行するため、周辺付近からの割れや欠けを生じにくくすることができる。
【発明を実施するための最良の形態】
【００２７】
以下、本発明の一の実施の形態を図に従って説明する。図１は、本実施の形態にかかる多層固形洗浄剤である多層固形漂白芳香洗浄剤１を示す図であり、該多層固形漂白芳香洗浄剤１は、トイレの貯水タンク内の水中に浸漬して使用されるものである。
【００２８】
この多層固形漂白芳香洗浄剤１の洗浄剤本体１１は、楕円形のタブレット状に形成されており、異なる成分からなる第１層１２と第２層１３とが接合された固形状に形成されている。ここで、異なる成分とは、各成分の種類、配合量の内のどちらか一方が少なくとも異なる場合を言う。
【００２９】
前記両層１２，１３を区画する境界線１４は、複数の変曲点を有する曲線のみからなる波状に形成されており、この境界線１４の端部と当該洗浄剤本体１１の外周縁１５との交差角１６は、両端共にほぼ直角となるように設計されている（直角であることが望ましい）。これにより、前記境界線１４は、前記外周縁１５に略直行しているとともに、前記各層１２，１３は、少なくとも一部が当該洗浄剤本体１１の外周を構成している。
【００３０】
前記各層１２，１３には、界面活性剤を基材とし、色素、香料、漂白剤等の従来公知の多層式固形漂白芳香洗浄剤に用いられる成分の１種若しくは２種以上の複数の素材を配合させることができる。第１層１２と第２層１３は成分の種類、配合量が全く同じでも良いが、通常はその必要機能により成分の数、種類、配合量等の少なくとも一つが異なる場合が多い。
【００３１】
前記各層１２，１３で用いられる界面活性剤は徐溶性基材として、また、洗浄性、発泡性を付与する成分として用いられ、非イオン系界面活性剤、アニオン系界面活性剤、カチオン系界面活性剤、両性界面活性剤、その他の界面活性剤のいずれであっても良い。
【００３２】
非イオン系界面活性剤としては、ポリオキシエチレンアルキルエーテル、ポリオキシエチレンアルキルフェニルエーテル、ポリオキシエチレンソルビタン脂肪酸エステル、ポリオキシエチレンソルビット脂肪酸エステル、ポリオキシエチレングリコール脂肪酸エステル、ポリオキシエチレンポリオキシプロピレンアルキルエーテル、ポリオキシエチレンひまし油、ポリオキシエチレン硬化ひまし油、ポリオキシエチレンアルキルアミン、グリセリン脂肪酸エステル、高級脂肪酸アルカノールアミド、アルキルグルコシド、アルキルアミンオキサイド等の１種若しくは２種以上を混合して用いることができる。平均炭素数１２〜１８の直鎖又は分岐差の１級又は２級のアルコールのエチレンオキサイド平均付加モル数５〜１２を使用することができる。
【００３３】
アニオン系界面活性剤としては、直鎖アルキルベンゼンスルホン酸塩、オレフィンスルホン酸塩、アルキル硫酸塩、ポリオキシエチレンアルキルエーテル硫酸塩、アルキルエーテル硫酸塩、アルケニルエーテル硫酸塩、アルキルエーテルカルボン酸塩、アルケニルエーテルカルボン酸塩、飽和脂肪酸塩、、不飽和脂肪酸塩、α−スルホ脂肪酸エステル塩、α−スルホ脂肪酸塩、石鹸等が挙げられ、これらの１種若しくは２種以上を挙げることができる。
【００３４】
カチオン系界面活性剤としては、テトラアルキルアンモニウム塩、トリアルキルベンジルアンモニウム塩、アルキルイミダゾリウム塩等が挙げられ、これらの１種若しくは２種以上を挙げることができる。
【００３５】
両性界面活性剤としては、アルキルカルボキシベタイン型、アルキルイミダゾリン型等が挙げられ、これらの１種若しくは２種以上を挙げることができる。界面活性剤の配合量は特に限定されないが、好ましくは２０〜７０％の範囲で利用できる。
【００３６】
本実施の形態で用いられる色素は、水溶性色素であれば、従来公知のものが使用できる。
【００３７】
具体的には、青色１号、青色２号、青色３号、黄色３号、黄色４号、黄色５号、黄色２０２号、赤色２号、赤色３号、赤色１０６号、緑色３号、青色２０２号、青色２０３号、メチレンブルー、シアニンブルー等の１種若しくは２種以上を挙げることができる。
色素の配合量は、特に限定されないが、好ましくは、０．０１〜２０％の範囲で利用できる。
【００３８】
本実施の形態で用いる香料も従来公知のものを使用することができる。
【００３９】
例えば、天然香料、合成香料何れも使用可能で、調合香料であってもかまわない。また、動物性香料、植物性香料を問わない。動物性香料としては、例えば、麝香、霊猫香、竜延香等の動物性香料、アビエス油、アクジョン油、アルモンド油、アンゲリカルート油、ページル油、ベルガモット油、パーチ油、ボアバローズ油、カヤブチ油、ガナンガ油、カプシカム油、キャラウェー油、カルダモン油、カシア油、セロリー油、シナモン油、シトロネラ油、コニャック油、コリアンダー油、クミン油、樟脳油、ジル油、エストゴラン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油、等の植物性香料を挙げることができる。人工香料は、合成香料又は抽出香料であり、例えば、ピネン、リモネン等の炭化水素系香料、リナロール、ゲラニオール、シトロネロール、メントール、ボルネオール、ベンジルアルコール、アニスアルコール、βフェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ―ブトルラクトン、クマリン、シネオール等のラクトン系香料、オクチルアセテート、ベンジルアセテート、シンナミルアセテート、プロピオン酸ブチル、安息香酸メチル、等のエステル系香料等が挙げられる。また、上記香料の２種以上を混合した調合香料も使用することができる。
【００４０】
香料の配合量は、特に限定されないが、好ましくは、０．１〜１０％の範囲で利用できる。
【００４１】
漂白剤は、塩素系漂白剤、酸素系漂白剤のいずれを使用することもでき、塩素系漂白剤としては亜塩素酸カルシウム、ジクロロイソシアヌル酸、ジクロロイソシアヌル酸ナトリウム、ジクロロイソシアヌル酸カリウム、トリクロロイソシアヌル酸、トリクロロイソシアヌル酸ナトリウム、１，３−ジクロロ−５，５−ジメチル−ヒダントイン、１―ブロモ−３−クロロ−５，５−ジメチル−ヒダントイン、１，３−ジブロモ−５，５−ジメチル−ヒダントイン、１―ブロモ−３−クロロ−５，５−ジフェニル−ヒダントイン、１，３−ジクロロ−５−エチル−５−メチル−ヒダントイン、さらし粉、高度さらし粉、クロラミンＴ、クロラミンＢ、クロラミンＸ等の１種若しくは２種以上を混合して用いることができる。
【００４２】
香料の配合量は、特に限定されないが、好ましくは、０．１〜１０％の範囲で利用できる。
【００４３】
酸素系漂白剤としては、過炭酸ナトリウム、過ホウ酸ナトリウム、過酢酸ナトリウム、過硫酸ナトリウム、過硫酸水素モノカリウム等の１種若しくは２種以上を混合して用いることができる。
【００４４】
漂白剤の配合量は、特に限定されないが、好ましくは、０．１〜２０％の範囲で利用できる。
【００４５】
本実施の形態には、さらにビルダー、溶解調整剤、漂白活性化剤、その他微量成分として、キレート剤、酵素、消臭剤、撥水剤等が配合されても良い。さらに、滑沢剤等の他の配合剤を配合することもできる。
【００４６】
本実施の形態の多層式固形漂白芳香洗浄剤１は、例えば次の方法で製造することができる。
【００４７】
すなわち、図２に示すように、前記各層１２，１３を形成する原料を混錬機に送り、混錬する。前記第１層１２を形成する原料は、混錬機から押出機２１の第１タンク２２を経由して金型を構成するノズル部２３に圧送される。これと同様に、前記第２層１３を形成する原料は、混錬機から前記押出機２１の第２タンク２５を経由して金型を構成する前記ノズル部２３に圧送される。
【００４８】
前記第１層１２を形成する原料は、混錬機から前記第１タンク２２に供給された後、該第１タンク２２の第１スクリュー３１の回転によって加圧されて前記ノズル部２３に圧送される。また、前記第２層１３を形成する原料は、混錬機から前記第２タンク２５に供給された後、該第２タンク２５の第２スクリュー３２の回転によって加圧されて前記ノズル部２３に圧送される。
【００４９】
前記各タンク２２，２５は、先端へ向かうに従って縮径した先細り形状を成し、その先端の出口部４１が前記ノズル部２３に連結されるとともに、該ノズル部２３の基端側を構成している。前記両タンク２２，２３を区画する境界壁４２は、少なくとも前記ノズル部２３を構成する先端部分において、曲線のみからなる波形に形成されており、当該ノズル部２３の外周壁４３は、楕円形に形成されている。
【００５０】
これにより、前記ノズル部２３は、前記多層式固形漂白芳香洗浄剤１の外形形状を形成するとともに、前記第１層１２と前記第２層１３とを波形の境界線１４で結合する金型を構成しており、前記境界壁４２を境とする一方には前記第１層１２を形成する第１金型５１が、他方には前記第２層１３を形成する第２金型５２が構成されている。
【００５１】
前記各タンク２２，２５から押出された両成分は、それぞれ第１層１２を形成する第１金型５１と第２層１３を形成する第２金型５２から押出され、先細り部分で互いに押し付けられることによって、それまで両成分を隔てていた境界壁４２の隙間を埋めるように両成分は密着して、接合された状態で押出される。これを所望の厚みにカットすることで、本実施の形態の多層式固形漂白芳香洗浄剤１が製造される。
【００５２】
なお、本実施の形態では、楕円形の多層式固形漂白芳香洗浄剤１について説明したが、これに限られず、直方体、立方体、球形、卵型、星型等の種々の形状であっても良い。
【００５３】
さらに、二層に限らず、三層やそれ以上の層を有しても良く、要は境界線１４が波状で且つ外周縁１５と略直行していれば、その形状、層の数は限定されるものではない。
【００５４】
以上の構成にかかる本実施の形態において、前述した製造方法で形成された多層固形漂白芳香洗浄剤１は、各層１２，１３間の境界線１４が曲線のみで構成されている為、この境界線１４上に小さなひびが形成された場合であっても、隣接したひび同士が結合して、大きくなることは無い。
【００５５】
また、各層１２，１３の結合部分に、空隙が形成され易い角部が設けられた従来のように、空隙部分から割れるといった問題も防止することができる。
【００５６】
したがって、製造時や保管時あるいは輸送時での割れや欠けを防止することができ、商品として致命的な不良品の発生を防止することができる。
【００５７】
特に、前記各層１２，１３は、少なくとも一部が当該洗浄剤本体１１の外周を構成する構造のため、前記各層１２，１３の分離を確実に防止するといった特有の効果を発揮することができる。
【００５８】
また、前記境界線１４を複数の変曲点を有する曲線のみで構成された波形としたため、割れ及び欠けの発生防止効果をさらに高めることができる。
【００５９】
さらに、前記両層１２，１３を区画する境界線１４の端部と当該洗浄剤本体１１の外周縁１５との交差角１６は、両端共にほぼ直角となるように設計されており、前記境界線１４は、前記外周縁１５に略直行している。このため、外周縁１５付近からの割れや欠けを生じにくくすることができる。
【図面の簡単な説明】
【００６０】
【図１】本発明の一実施の形態を示す図で、（ａ）は平面図であり、（ｂ）は側面図である。
【図２】同実施の形態の多層固形漂白芳香洗浄剤の製造方法を示す説明図である。
【符号の説明】
【００６１】
１    多層固形漂白芳香洗浄剤（多層固形洗浄剤）
１２    第１層
１３    第２層
１４    境界線
１５    外周縁
２２    第１タンク
２３    ノズル部
２５    第２タンク
３１    第１スクリュー
３２    第２スクリュー
４１    出口部
４２    境界壁
【図１】
2006169270.tif 000003
【図２】
2006169270.tif 000004